(57)【要約】【課題】対面配置した机間で机に内蔵された配線ダクト空間を使用して配線する場合に、対面配置した机に配線しにくい構造であるので、配線が剥き出しになり、見苦しいとともに断線などの不具合を生じる可能性がある。【解決手段】天板４の後縁部近傍に配置される配線用空間と、対面方向にある外部の空間とを連通し得る上及び前後方向に開放された連通部１１Ａを有する配線通孔部１１を配線用空間の後壁の一部に備える机であって、配線通孔部１１が、連通部１１Ａの少なくとも上部を閉鎖する閉鎖部材（１１Ｂ）を着脱可能に備える。【選択図】図２
2004329339.tif 000002
【特許請求の範囲】
【請求項１】
天板の後縁部近傍に配置される配線用空間と、対面方向にある外部の空間とを連通し得る上及び前後方向に開放された連通部を有する配線通孔部を配線用空間の後壁の一部に備える机であって、配線通孔部が、連通部の少なくとも上部を閉鎖する閉鎖部材を着脱可能に備えることを特徴とする机。
【請求項２】
連通部が、後方下向きに傾斜する傾斜面を備えることを特徴とする請求項１記載の机。
【請求項３】
閉鎖部材が、天板の背面端側に設けられる背面部材の上端部のほぼ全長にわたって取り付けられるビーム部材からなることを特徴とする請求項１又は２記載の机。
【発明の詳細な説明】
【０００１】
【発明の属する技術分野】
本発明は、学校やオフィスなどにおいて、ＯＡ機器などを載置して好適に使用される机に関するものである。
【０００２】
【従来の技術】
従来、学校やオフィスなどにおいて机の天板上にＯＡ機器類を載置して使用する際には、電力線や通信線などを床や壁や隣接する机から導く必要があり、その配線を好適に引き回す必要がある。このため、従来の机にあっては、例えば特許文献１に示されるように、天板の後縁部に配線ダクトを設け、横方向に机を並べて配置した場合に、隣接する机間において電力線や通信線などをそれぞれの配線ダクト内に通して配線できるように構成してある。
【０００３】
【特許文献１】
特開平１１−１７８６４７号公報
【０００４】
【発明が解決しようとする課題】
ところで、室内の有効利用のために、机を対面配置するとともに横方向に並べて配置することがある。このような対面配置を行う場合、横方向には配線ダクトを用いて、電力線や通信線などを比較的容易に配線することができる。一方、対面配置した机間で配線を行う場合、対面している机の配線ダクトに配線を通そうとすると、一方の机の配線ダクトの一方の端部から電力線や通信線などを引き出し、床面において配線を引き回した後、他方の机の配線ダクトの一方の端部から配線ダクト内に引き入れる必要がある。このため、このような机を対面配置した場合には、電力線や通信線などが配線ダクトから床面など配線ダクトの外部に出てしまうため、見苦しいばかりでなく、その露出部分において電力線や通信線などを引っかけると言った不具合を生じた。また、電力線や通信線などが床面上に露出しているため、見苦しいばかりでなく、机の使用時には足下が煩雑になりやすく、椅子やワゴンなどのキャスタに踏まれることにより安全性を低下させるものとなった。
【０００５】
このような不具合に鑑みて、床を二重にして、スラブと床面との間に電力線や通信線などを配線するものが考えられるが、設置時に費用がかさばるばかりでなく、例えば机の配置を変更した際には、床面をめくって配線変更作業をしなければならず、作業時間が長くなるとともに、費用などが上昇した。
【０００６】
そこで本発明は、以上のような問題に鑑みて、対面配置した机間で容易に電力線や通信線などを配線することができる机を提供しようとするものである。
【０００７】
【課題を解決するための手段】
すなわち、本発明の机は、天板の後縁部近傍に配置される配線用空間と、対面方向にある外部の空間とを連通し得る上及び前後方向に開放された連通部を有する配線通孔部を配線用空間の後壁の一部に備える机であって、配線通孔部が、連通部の少なくとも上部を閉鎖する閉鎖部材を着脱可能に備えることを特徴とする。
【０００８】
このような構成によれば、対面方向にある外部の空間と配線用空間とが連通部により連通し得るので、配線用空間にある電力線や通信線などの配線を、配線通孔部を介して外部に引き回すことが可能になる。しかも、連通部の少なくとも上部は閉鎖部材により着脱可能に閉鎖されるので、使用時に物品が配線通孔部に落ちると言った不都合を防ぐことが可能である。
【０００９】
外部の空間へ配線用空間から円滑に配線を取り出すとともに、連通部を外方から目立たなくし外観を向上させるためには、連通部が、後方下向きに傾斜する傾斜面を備えるものが好適である。
【００１０】
連通部の長さの如何にかかわらず閉鎖部材を共通に使用するためには、閉鎖部材が、天板の背面端側の取り付けられる背面部材の上端部のほぼ全長にわたって取り付けられるビーム部材からなるものが好ましい。
【００１１】
【発明の実施の形態】
以下、本発明の一実施形態を、図１〜５を参照して説明する。
【００１２】
図１において、机１は、脚部となるサイドパネル２及び袖３と、サイドパネル２と袖３とにより支持される天板４と、サイドパネル２と袖３との背面端側に設けられる背面部材である背面パネル５とを主として形成され、背面パネル５の上端部５Ａに配線通孔部１１が形成され、その上端部に閉鎖部材であるビーム部材１１Ｂが被せられるようにして取り付けられている。この実施形態においては、配線通孔部１１が上端部５Ａの中央部分に配置されるものである。
【００１３】
天板４の背面端側には、背面パネル５に設けられる配線保持用の配線ダクト空間ＤＳを形成する樋９の上方を開閉可能に閉じるダクトカバー６が、天板４と上端部５Ａとの間に取り付けられる。ダクトカバー６は合成樹脂製で、平板形状をしており、この実施形態にあっては、左右カバー６ａ，６ｂと中央カバー６ｃとに三分割してある。左右カバー６ａ，６ｂは、その一方の側端にスライド移動可能に取り付けられた蓋６１ａにより常時は塞がれている切欠孔６１が設けられている。このダクトカバー６は、その上面が天板４の上面及び背面パネル５の上端部５Ａに取り付けられたビーム部材１１Ｂの上面とほぼ面一になるように取り付けられ、ビーム部材１１Ｂの上面とともに実質的に机１の天板４の上面を拡張しているものである。配線ダクト空間ＤＳの左右の側端部は、正面視アングル形状のサイドカバー１０により閉塞されている。
【００１４】
サイドカバー１０は、正面視逆Ｌ字形をしており、その側面の下半部分が分離可能に形成してある。すなわち、サイドカバー１０は、机１の取付部から取外されると、側面の下半部分を構成するサイドキャップ１０１と上面部材１０２とに分離できる構成である。上面部材１０２の上面部分には、机１に取り付けられた際に下方向に観音開きの蓋が取り付けられている。サイドキャップ１０１を取り外すことにより、配線ダクト空間ＤＳの配線を机１の横方向に取り出すことができる。つまり、机１を横方向に並べた場合に、隣接する机１の配線ダクト空間ＤＳ同士をサイドカバー１０のサイドキャップ１０１をはずした開口部分を介して連通させることができるものである。
【００１５】
背面パネル５の上端部５Ａは、その奥行き方向の寸法（前後方向の幅寸法）をダクトカバー６の幅より小さく設定してあり、その両端には配線通孔部１１を介してサイドパネル２及び袖３に固定されたコーナーカバー８が連結されている。これにより、上端部５Ａは、配線ダクト空間ＤＳの上縁近傍の後壁として機能する。また上端部５Ａの配線ダクト空間ＤＳに面した前面５ｄの高さは、後述するビーム部材１１Ｂの前壁部１１Ｂａの内面に設けられた関連片１１Ｂｂが係り合う寸法にしてある。コーナーカバー８の上面には、例えばデスクトップパネル等のオプションを取り付けるための角孔が設けられており、略長方形状の平板からなる２分割できるポストキャップが、その角孔の上端近傍に設けられた溝に係り合わされて、角孔を閉塞している。
【００１６】
配線通孔部１１は、図２に示すように、背面パネル５の上端部５Ａの一部を切除して、机１の前後方向及び上方向に開放された開口部すなわち連通部１１Ａと、ビーム部材１１Ｂとにより構成される。
【００１７】
この実施の形態にあっては、連通部１１Ａを長くしているので、ビーム部材１１Ｂを支持するために連通部１１Ａの長さ方向のほぼ中央に支柱１１Ａａを設けるとともに、その両端に化粧部材７の端部のための連結柱１１Ａｂを設けている。したがって、実質的な連通部１１Ａは、支柱１１Ａａを介して二分されている。
【００１８】
支柱１１Ａａ及び連結柱１１Ａｂは例えば板金製で、上端部５Ａの上面５ｅと同じ高さを有して背面パネル５に固定されている。支柱１１Ａａ及び連結柱１１Ａｂの、天板４に対向する前面の上端部には、ビーム部材１１Ｂの前壁部１１Ｂａの関連片１１Ｂｂが挿入される取付溝１１Ａｃが設けてあるとともに、背面が背面パネル５上部の上端傾斜面５ａに沿う傾斜面１１Ａｄとその傾斜面１１Ａｄの上端から垂直に連続する垂直面１１Ａｅとその垂直面１１Ａｅの上端から水平方向に連続する下向き面１１Ａｆとを有している。つまり、支柱１１Ａａと連結柱１１Ａｂとは、その後面において、下向きの傾斜面１１Ａｄを有する凹部を備える柱となっている。そして、ビーム部材１１Ｂが連通部１１Ａに取り付けられた場合に、垂直面１１Ａｅと下向き面１１Ａｆとで規定される空間が配線通孔部１１における開口部分となり、連通部１１Ａが後方下向きに傾斜する後述する上縁傾斜面５ａを備えるものとなる。なお、連通部１１Ａの長さが短い場合、つまり連通部１１Ａにビーム部材１１が取り付けられた状態でビーム部材１１Ｂが撓まない、あるいは上から押された際に容易に変形しない状態となり得る長さの場合、支柱１１Ａａは不要である。
【００１９】
このような連通部１１Ａに取り付けられるビーム部材１１Ｂは、例えば合成樹脂製で、基本的にはチャネル状をしており、図３に示すように、前壁部１１Ｂａにダクトカバー６を取り付けるための溝１１Ｂｃを備えるとともに、その内面に後方に向いて突出して形成された関連片１１Ｂｂと、その後壁部１１Ｂｄの下縁に前側に向かって折り曲げられて形成され、連結柱１１Ａｂ及び支柱１１Ａｃの下向き面１１Ａｆと係り合う係り合い縁１１Ｂｅとを備えている。このビーム部材１１Ｂは、上端部５Ａの一方の端部から他方の端部にわたる長さを有しており、ダクトカバー６のための取付部材としても機能する。
【００２０】
以上の構成において、机１の使用状態においては、ビーム部材１１Ｂが上端部５Ａに取り付けてある。すなわち、ビーム部材１１Ｂは、その前壁部１１Ｂａの関連片１１Ｂｂを上端部５Ａに係り合わせるとともに、連結柱１１Ａｂ及び支柱１１Ａａそれぞれの関連溝１１Ａｃに係り合わせるとともに、その後面の係り合い縁１１Ｂｅを上端部５Ａ、連結柱１１Ａｂ及び支柱１１Ａａそれぞれの下向き面５ｆ，１１Ａｆに係り合わせる。このようにしてビーム部材１１Ｂを上端部５Ａ７に取り付けると、化粧部材７の後面側において、配線通孔部１１の位置に連通部１１Ａの開口部分が存在するものであるが、ビーム部材１１Ｂの後壁部１１Ｂｄの係り合い縁１１Ｂｅに対して背面パネル５の上縁傾斜面５ａが向き合う構造であり、実質的な開口となる上縁傾斜面５ａの上端５ａａが背面パネル５の後表面５ｃより前側に位置するため、その存在を認めにくい後部外観となっている（図４に示す）。したがって、配線通孔部１１を使用して電力線や通信線を引き出していない場合には、配線通孔部１１を備えていない通常の机と同列に配置しても違和感をなくすことができる（図４）。
【００２１】
これに対して、同型の机を対面配置すると、図５に示すように、それぞれの机１の配線通孔部１１が対面する状態になる。この実施の形態の場合、配線通孔部１１が机１の幅（左右）方向の中央にあること、及びその連通部１１Ａの開口部分の長さが比較的長いことにより、机１同士が必ずしも幅方向においてその両端部分が一致していなくとも配線通孔部１１はそれぞれ、その一部が重なり合うものとなる。
【００２２】
このようにして、机１を配置した後、ビーム部材１１Ｂを上端部５Ａから取り外す。これにより、それぞれの机１の連通部１１Ａがその上側が開放された状態で露出する。この場合に、ダクトカバー６を取り外しておくと、配線ダクト空間ＤＳと連通部１１Ａとが連通している状態を確実に把握することができる。そして、配線ダクト空間ＤＳにある配線のうち、対面配置されている机１に引き回す必要のある配線を確認した後、その配線ＷＲをそれぞれの配線通孔部１１を介して対面配置されている机１の配線ダクト空間ＤＳまで引き回す。同型の机１の場合、背面パネル５がほぼ密着するので、配線通孔部１１同士もその背面においてほぼ密着している。したがって、机１間において掛け渡された配線が弛むことを最小にすることができる。
【００２３】
配線が完了した後、ビーム部材１１Ｂを上端部５Ａに取り付けるとともに、ダクトカバー６を取り付ける。ビーム部材１１Ｂを上端部５Ａに取り付けた状態で、ビーム部材１１Ｂの係り合い縁１１Ｂｅと背面パネル５の上端傾斜面５ａとの間には連通部としての空間が形成されるので、配線通孔部１１から導き出される配線がビーム部材１１Ｂにより圧迫されることはない。また、配線ダクト空間ＤＳにある配線が、配線ダクト空間ＤＳから連通部１１Ａを介して直接に対面配置されている机１の配線ダクト空間ＤＳに達するので、机１の下肢空間やあるいは床面に配線が露出することを防ぐことができる。それ故、それらの配線につまずいて衝撃的に引っ張ったり椅子やワゴンなどのキャスタにより踏みつけたりすることを回避することができ、よって配線を確実に保護することができる。
【００２４】
また、複数の机１を横方向に並列に配置し、かつそれぞれの机１に対して机１を対面配置する場合に、各机１の配線ダクト空間ＤＳと配線通孔部１１とを利用することにより、電力線や通信線などの配線を床に這わせることなく引き回すことができる。このような配線作業は、机１の上側から行えるので、例えば机１の下肢空間における作業などに比べて作業効率を高くすることができるとともに、作業者の負担を軽減することができる。
【００２５】
なお、本発明は以上説明した実施の形態に限定されるものではない。
【００２６】
上記実施の形態にあっては、連通部１１Ａの上部を含んで、上端部５Ａの全長にわたってビーム部材１１Ｂを取り付けるものを説明したが、ビーム部材１１Ｂを連通部１１Ａにのみ取り付けるものであってもよい。この場合、支柱１１Ａａ及び連結柱１１Ａｂの高さをビーム部材１１Ｂの厚み分だけ低く設定しておき、ビーム部材１１Ｂを支柱１１Ａａ及び連結柱１１Ａｂに取り付けた場合に、ビーム部材１１の上面と上端部５Ａの上面とが面一になるようにする。
【００２７】
配線通孔部１１の形成位置とその長さ（大きさ）は適宜設定するものであってよく、机１を対面配置した場合にそれぞれ配線通孔部１１同士が少なくともその一部分において重なり合うように位置を設定するとともに、重なり合う部分の長さができるかぎり長くなるようにその長さを設定するものである。このような構成とすることにより、高さ以外の寸法の異なる机、例えば天板の大きさの異なる机同士を対面配置する場合にあっても、配線通孔部１１同士が連通するようにすることができる。また、配線通孔部１１は、一カ所にする必要はなく、間隔をあけて複数カ所に設けるものであってもよい。
【００２８】
上記実施の形態にあっては、袖を備える机を説明したが、天板４を２枚のサイドパネル２により支持するものにあっても、上記した配線通孔部１１を適用することが可能である。
【００２９】
その他、各部の具体的構成についても上記実施形態に限られるものではなく、本発明の趣旨を逸脱しない範囲で種々変形が可能である。
【００３０】
【発明の効果】
本発明は、以上説明したような形態で実施され、以下に記載されるような効果を奏する。
【００３１】
すなわち、本発明の机によれば、対面配置をした場合に、配線空間にある配線を配線通孔部を介して引き回すことができるので、配線作業を容易にすることができ、作業効率を高くすることができる。また配線を床上にすることを回避することができるので、見栄えを向上させることができるとともに、断線などの不具合を解消することができる。
【図面の簡単な説明】
【図１】本発明の実施の形態の全体を示す斜視図。
【図２】同実施の形態の要部を拡大して示す斜視図。
【図３】同実施の形態の要部の断面図。
【図４】同実施の形態の背面の一部省略斜視図。
【図５】同実施の形態における対面配置を行った場合の使用状態を要部を拡大して示す断面図。
【符号の説明】
１…机
４…天板
５…背面パネル
５Ａ…上端部
１１…配線通孔部
１１Ａ…連通部
１１Ｂ…ビーム部材
ＤＳ…配線ダクト空間
【図１】
2004329339.tif 000003
【図２】
2004329339.tif 000004
【図３】
2004329339.tif 000005
【図４】
2004329339.tif 000006
【図５】
2004329339.tif 000007